(57)【要約】      （修正有）【課題】流水量が比較的少ないマンホールに投雪した場合、融雪するのに時間がかかるため、投雪が繰り返されればマンホール内に雪塊が積み重なり、下水の流下が阻害されるおそれがあるが、それを解消するゲートを提供する。【解決手段】  道路等の各種施設周りの、マンホール２直下の地下下水溝３底壁３の下流側に、水平軸５で基部を起伏可能に設けた起伏ゲート６の端部７と、一端にバランスウエイト１３を備え、中央部を起伏ゲート６より上位の、マンホール２中央部に揺動自在に軸１１に架したアーム１２の他端部をワイヤ８で連結し、起立する起伏ゲート６により、地下下水溝３に所定水深の地下下水確保状態において、両者のバランス状態を確保する。【選択図】  図１
2007040070.tif 000002
【特許請求の範囲】
【請求項１】
道路等の各種施設周りの、マンホール（２）直下の地下下水溝（３）の底壁（３０）下流側に、水平軸（５）で起伏ゲート（６）の基部を起伏可能に設け、該起伏ゲート（６）の端部（７）と、一端にバランスウエイト（１３）を備えるアーム（１２）の中央部を、起立する前記起伏ゲート（６）の上端より上位に位置する前記マンホール（２）中央部に揺動可能に軸（１１）架したアーム（１２）の他端部を連結手段（８）で連結し、起立する前記起伏ゲート（６）により、前記地下下水溝（３）底壁（３０）上流側に、所定水深（Ｈ２）の地下下水を確保し、係る両者のバランス状態において確保された所定水深（Ｈ２）の地下下水への、前記マンホール（２）を介する適度な雪塊（Ｓ）の投雪により、該投雪雪塊（Ｓ）を融雪する一方、当該雪塊（Ｓ）の投雪に基づく前記起立する起伏ゲート（６）とバランスウエイト（１３）とのバランス状態の崩壊により、当該起立する起伏ゲート（６）を倒伏させて、起立する当該起伏ゲート（６）により確保した所定水深（Ｈ）の地下下水を、前記投雪された雪塊（Ｓ）とともに放流して、当該投雪雪塊（Ｓ）の融雪を促進した後、倒伏した当該起伏ゲート（６）を、前記バランスウエイト（１３）により自動的に起立させて、当該地下下水溝（３）の低壁（３０）上に所定水深（Ｈ）の地下下水を再度確保して、前記マンホール（２）を介する次回の投雪雪塊（Ｓ）の融雪に備えるようにしたことを特徴とする、地下下水溝の起伏ゲート利用融雪装置。
【請求項２】
前記起伏ゲート（６）の基部を、前記マンホール（２）直下の地下下水溝底壁（３０）の下流側に設けた、当該起伏ゲート（６）の長さよりやや長く伸びる凹部（３Ｃ）内に、倒伏可能に設けたことを特徴とする請求項１記載の地下下水溝の起伏ゲート利用融雪装置。
【請求項３】
一端を前記マンホール（２）の天井（３０）下部に設けたシーブ枠（３２）の端部（３６）、又は当該シーブ枠（３２）周りの前記マンホール（２）の天井（３０）下部に取付けた前記アーム（１２）の起伏操作用ワイヤ（３５）を、前記アーム（１２）のバランスウエイト（１３）の取付側シーブ（３７）と、前記シーブ枠（３２）上のシーブ（３３）を介して、前記マンホール（２）中央部のウインチドラム（２３）に巻き付け、該ウインチドラム（２３）により、前記アーム（１２）を前記バランスウエイト（１３）に抗して起立させて、前記起伏ゲート（６）を強制的に倒伏させて、起立する当該起伏ゲート（６）により確保した所定水深（Ｈ）の地下下水を放流可能にしたことを特徴とする、請求項１又は２の何れかに記載の地下下水溝の起伏ゲート利用融雪装置。
【請求項４】
前記アーム（１２）の支軸（１１）を、前記マンホール（２）中央部の支持台（１０）及び上部にウインチ（２２）を備えるウインチ台（２１）により支承するとともに、起立する前記起伏ゲート（６）の端部（７）周りの上側に当接して、当該起伏ゲート（６）の最大起立角（αｍ）を規制するストッパ（９）と、下降する前記アーム（１２）のバランスウエイト（１３）付側下側に当接して、当該アーム（１２）の最大降下角（βｍ）を規制するストッパ（１８）を、前記マンホール（２）中央部の適所に夫々設けたことを特徴とする、請求項１〜３の何れかに記載の地下下水溝の起伏ゲート利用融雪装置。
【請求項５】
一端を前記起伏ゲート（６）の端部（７）に取り付けた、所定長さの連結ワイヤ（８）の他端部を、前記アーム（１２）端部の、当該アーム（１２）の支軸（１１）中心から異なる距離離間する複数の連結子（１５１）〜（１５３）の、何れかに交互に取付可能にしたことを特徴とする、請求項１〜４の何れかに記載の地下下水溝の起伏ゲート利用融雪装置。
【発明の詳細な説明】
【技術分野】
【０００１】この発明は、地下下水溝の起伏ゲート利用融雪装置、殊に、道路等の各種施設周りの、マンホール直下の地下下水溝低壁下流側に設けた、起伏可能な起伏ゲートの起立により地下下水を堰き止めた状態においてバランスする、バランスウエイト付バランス機構を備え、該起伏ゲートの起立により、当該地下下水溝底壁上に所定水深、所定水量の地下下水の確保状態において、当該所定水深、所定水量の地下下水に、前記マンホールを介して適量の雪塊投雪を繰り返すことにより、当該雪塊を前記地下下水溝底壁上流側に確保した所定水深、所定水量の地下下水により融雪し、かつ、当該雪塊投雪による前記起立する起伏ゲートにより確保した所定水深、所定水量の地下下水と、前記バランスウエイトとのバランス崩壊に基づく、起立する起伏ゲートの倒伏による急速、大量の放流により、当該雪塊投雪の融雪を促進した後、当該地下下水の放流による前記バランスウエイトと倒伏した起伏ゲートとのアンバランス状態が、前記バランスウエイトにより解消させて倒伏した起伏ゲートを自動的に起立させ、当該地下下水溝低壁上流側に所定水深、所定水量の地下下水の確保を再開し、前記マンホールを介する次回の適量雪塊投雪の融雪に備える、地下下水溝の起伏ゲート利用の融雪装置に関するものである。なお、この発明の地下下水溝の起伏ゲート利用融雪装置は、地下流雪溝の起伏ゲート利用融雪装置も当然対象にするものである。
【背景技術】
【０００２】北海道等の寒冷地における積雪処理は、例えば、堆雪場へ投雪、路面への継続的な流出水による消雪、トラクターによる除雪、スコップ等による降雪の掻き寄せ、掻き寄せた降雪の堆雪場又は、流雪溝への投雪等、様々な処理手法がある。当然のことながら、充分な流水量の確保される河川への適量投雪により、相応の融雪効果を期待できる反面、例えば、直径が１〜２ｍ程度のかなり太径の下水溝への投雪であっても、仮に、流量の少ない太径下水溝に大径の雪塊を投雪すれば、当該雪塊の融雪に長時間が掛かり、結果として当該流雪溝の流雪流、地下下水溝の下水流の流下を阻害し、甚だしい場合には、当該流雪溝、地下下水溝に詰りが生じ、それらの流れの停止を招く恐れさえあった。【０００３】また、従来の各種施設周り積雪の各種融雪装置は、何れも手間と費用が掛かる他、その実施自体に様々な問題があり、平易に実施できる融雪装置は見当たらない。当然のことながら、大量の流水、殊に、大量の高温流水に少量投雪をすれば、短時間に充分な融雪効果を期待できる反面、多大の費用がかかる一方、少量流水に大量投雪をすれば、当該融雪に時間が掛かり、甚だしい場合には、大量投雪の大半が融雪されることなく長期間残雪し、少量流水の流下が妨げられる恐れさえあるため、微少量の投雪は別として、地下流雪溝、地下下水溝への融雪目的の多量投雪は、実際上なされないのが実情である。【０００４】ここで、小流量の地下下水溝３への大量投雪に無理のあることを、図７のマンホール２の模式縦断説明図を参照して略説する。図７において、道路の路面（地面）１に開口するマンホール２直下の地下下水溝３底壁３０上に、例えば、水深ｈ１が約５〜１０ｃｍの少量地下下水３１１流下が継続する地下下水溝３へ、そのマンホール２から、例えば、（３０〜５０）×（３０〜５０）×（３０〜５０）ｃｍ３程度の雪塊Ｓ投雪を想定する（なお、ここでは直方体状の雪塊を想定したが、他の形状、例えば、球状の雪塊についても同様）に、当該雪塊Ｓ、Ｓ（図７では２個）が、水深約５〜１０ｃｍの地下下水３１１により、直ちに融雪されたり、当該地下下水流３１１により押し流されることはなく、投雪された当該雪塊Ｓ、Ｓが、その自重により、当該地下下水溝３の底壁３０上に密着し、当該地下下水３１１の流下が妨げられることになる。当該地下下水３１１流の水深ｈ１が、例えば、約５〜１０ｃｍである一方、当該マンホール２を介して投雪される雪塊Ｓの大きさが、例えば、（３０〜５０）×（３０〜５０）×（３０〜５０）ｃｍ３程度、即ち、当該雪塊Ｓの大きさが、当該地下下水３１１流の水深ｈ１≒５〜１０ｃｍより充分大きく、その数倍ないし、それ以上に達する場合には、当該大径雪塊Ｓが、地下下水溝３の底壁３０上に密着し、少量の地下下水３１１流の流下が阻止されることは、同図７の模式図からも十分理解されることである。なお、図示しないが、地下流雪溝についても同様な問題がある。【０００５】また、地下下水溝３の底壁面３０１は、適度な勾配θを以って構成され、地下下水溝３底壁面３０を流下する地下下水も同様な勾配θを以って、水深ｈ１（≒５〜１０ｃｍ）で流下し、係る水深ｈ１の地下下水３１１に、マンホール２を介して、例えば、（３０〜５０）×（３０〜５０）×（３０〜５０）ｃｍ３程度の雪塊Ｓの投雪があれば、係る雪塊Ｓが１個のみであれば、多少の時間経過を待つことにより、当該小流量の水深ｈ１の地下下水３１１によ融雪を全く期待できないとまではいえないとしても、実際には係る雪塊Ｓの融雪にかなりの時間を要し、仮に、当該マンホール２から同様な雪塊Ｓの投雪が繰り返されれば、当該マンホール２内に雪塊Ｓが積み重なり、その結果、当該地下下水溝３の下水３１１流下が阻害される恐れがあるため、地下下水溝３を流下する地下下水３１１流が充分多い場合に、少量の投雪のなされることは別として、当該マンホール２を介する地下下水溝３への雪塊Ｓの投雪、殊に、大径雪塊Ｓの投雪は、実際上なされていないのが実情である。【０００６】なお、特開平５−１４１０号公報には、起立する扉体を一気又は多段階に倒伏させることにより、当該起立する扉体により確保した所定水深水を、放流可能にした自動転倒堰が開示される。この自動転倒堰は徐々に転倒する多段階転倒と、一気に完全転倒する機能とを備え、一気に完全転倒する自動転倒堰構成には、広義には流水溝の所要水深水を確保する機能と、確保した所要水深水を一気に放流する機能を備えるものの、ここには、起立する自動転倒堰により確保した所要水深水への投雪により、当該投雪を融雪させる旨の積極的記載は勿論、そのような示唆すらない。その上、同公報記載の、所定水深水確保用の自動倒伏ゲートを始め、従来のバランス型起伏ゲートにより、所定水深を確保する起伏ゲートは、何れも、倒伏した起伏ゲートを人手で起立させるか、他の大型起立装置により起立させるに留まり、倒伏した起伏ゲートを自動的に起立させるものについての開示はない。
【発明が解決しようとする課題】
【０００７】この発明は、前記のような従来技術に残る課題を解決するため、流水量が比較的少ない地下下水溝３の底壁３０上に、起立時の高さＨ３が当該地下下水溝の高さのほぼ３０〜５０％程度の起伏ゲート６を、バランスウエイト１３との関連において常時起立させるように付勢して、当該地下下水を所定水深Ｈ、確保するように設けるとともに、例えば、当該地下下水溝３の高さの約３０〜５０％程度の高さの起伏ゲート６を、当該下水溝３底壁３０下流側（図５では左側）に水平軸５で起伏可能に設け、該起伏ゲート６の起立による所定水深Ｈ３の下水を確保し、当該所定水深Ｈ３の下水に適量の投雪Ｓをすることにより、当該所定水深Ｈ３の下水により、当該投雪Ｓの一部を融雪する一方、当該投雪Ｓによる前記所定水深Ｈ３の地下下水の水位上昇により、起立する当該起伏ゲート６に掛る前記所定水深Ｈ３下水の上昇した水位圧を受ける、起立する起伏ゲート６とバランスウエイト１３付きアーム１２の連結手段８を介するバランス状態の崩壊により、起立起伏ゲート６を倒伏させて前記所定水深Ｈ３の下水を、前記投雪され、一部融雪されたた雪塊とともに一気に放流してその融雪を促進し、然る後、倒伏して当該地下下水圧の掛らない状態の起伏ゲート６と、バランスウエイト付アームとのバランス機構により、倒伏した起伏ゲート６を自動的に起立させて、所定水深Ｈ３、所定水量の地下下水の確保を再開し、次回のマンホール２を介する当該地下下水への雪塊投雪の融雪に備える地下下水溝の起伏ゲート利用融雪装置を提供しようとするものである。
【課題の解決手段】
【０００８】この発明は、前記のような従来例に残る課題を解決するため、道路等の各種施設周りの、マンホール２直下の地下下水溝３の底壁３０下流側に、水平軸５で起伏ゲート６の基部を起伏可能に設け、該起伏ゲート６の端部７と、一端にバランスウエイト１３を備えるアーム１２の中央部を、起立する前記起伏ゲート６の上端より上位に位置する前記マンホール２中央部に揺動可能に軸１１架したアーム１２の他端部を連結手段８で連結し、起立する前記起伏ゲート６により、前記地下下水溝３底壁３０上流側に、所定水深Ｈ２の地下下水を確保し、係る両者のバランス状態において確保された所定水深Ｈの地下下水への、前記マンホール２を介する適度な雪塊の投雪により、該投雪雪塊を融雪する一方、当該雪塊の投雪に基づく前記起立する起伏ゲート６とバランスウエイト１３とのバランス状態の崩壊により、当該起立する起伏ゲート６を倒伏させて、起立する当該起伏ゲート６により確保した所定水深Ｈの地下下水を、前記投雪された雪塊とともに放流して、当該投雪雪塊の融雪を促進した後、倒伏した当該起伏ゲート６を、前記バランスウエイトにより自動的に起立させて、当該地下下水溝３の低壁３０上に所定水深Ｈの地下下水を再度確保して、前記マンホールを介する次回の投雪雪塊の融雪に備えるようにした地下下水溝の起伏ゲート利用融雪装置である。
【０００９】また、前記起伏ゲート６の基部を、前記マンホール２直下の地下下水溝底壁３０の下流側に設けた、当該起伏ゲート６の長さよりやや長く伸びる凹部３Ｃ内に、倒伏可能に設けたものであり、また、一端を前記マンホール２の天井３０下部に設けたシーブ枠３２の端部３６、又は当該シーブ枠３２周りの前記マンホール２の天井３０下部に取付けた前記アーム１２の起伏操作用ワイヤ３５を、前記アーム１２のバランスウエイト１３の取付側シーブ３７と、前記シーブ枠３２上のシーブ３３を介して、前記マンホール２中央部のウインチドラム２３に巻き付け、該ウインチドラム２３により、前記アーム１２を前記バランスウエイト１３に抗して起立させて、前記起伏ゲート６を強制的に倒伏させて、起立する当該起伏ゲート６により確保した所定水深Ｈの地下下水を放流可能にしたものである。
【００１０】さらに、前記アーム１２の支軸１１を、前記マンホール２中央部の支持台１０及び上部にウインチ２２を備えるウインチ台２１により支承するとともに、起立する前記起伏ゲート６の端部７周りの上側に当接して、当該起伏ゲート６の最大起立角αｍを規制するストッパ９と、下降する前記アーム１２のバランスウエイト１３付側下側に当接して、当該アーム１２の最大降下角βｍを規制するストッパ１８を、前記マンホール２中央部の適所に夫々設けたものであり、また、一端を前記起伏ゲート６の端部７に取り付けた、所定長さの連結ワイヤ８の他端部を、前記アーム１２端部の、当該アーム１２の支軸１１中心から異なる距離離間する複数の連結子１５１〜１５３の、何れかに交互に取付可能にしたものである。
【００１１】（作用）  請求項１の発明によれば、道路等の各種施設周りの、マンホール２直下の地下下水溝３底壁３０下流側に、水平軸５で基部を起伏可能に設けた起伏ゲート６の端部７と、一端にバランスウエイト１３を備え、中央部を起立状態の当該起伏ゲート６端部より上位の、前記マンホール２の中央部に揺動自在に軸１１架したアーム１２の他端部を、適宜連結手段８で連結したことにより、前記マンホール２直下の地下下水溝３底壁３０上流側に、起立する当該起伏ゲート６により所定水深Ｈ３、所定水量の地下下水を確保する一方、当該所定水深Ｈ３、所定水量の地下下水へ、前記マンホール２を介して適量の雪塊Ｓを投雪すると、当該マンホール２内において、寒冷地における冬季でも地下下水温度が、約７〜８℃程度に確保される所定水深Ｈ３の地下下水によりその一部が融雪される一方、当該雪塊Ｓの投雪に基く、前記起立する起伏ゲート６上流側の所定水深Ｈ３の地下下水が、実質的に増量し、その水深がやや向上して、起立する当該起伏ゲート６への負荷が増加し、当該起伏ゲート６と前記バランスウエイト１３付きアーム１２とのバランス状態が崩壊されて、当該起伏扉６が水平軸５周りに回動、倒伏して、未融雪の当該雪塊Ｓを含む所定水深Ｈ３の地下下水が一気に放流され、当該放流により、一部融雪された前記雪塊Ｓ残部の融雪を促進しながら流下する。一方、係る所定水深Ｈ３の地下下水の放流により、到伏した起伏ゲート６とバランスウエイト１３付きアーム１２とのバランス回復により、到伏した起伏ゲート６が自動的に起立して、当該地下下水溝３低壁３０上流側への、所定水深Ｈ３の地下下水の確保が再開され、前記マンホール２を介する次回の雪塊Ｓ投雪の融雪に備える。
【００１２】請求項２の発明によれば、起伏ゲート６の基部を、道路等の各種施設周りの、マンホール２直下の地下下水溝３底壁３０の下流側凹部３Ｃ内に倒伏可能に設けたことにより、起伏ゲート６の基部を取付ける取付け台４の、地下下水溝３底壁３０の下流側凹部３Ｃ内への設置が、当該凹部３Ｃを設けないものと比べて、その取付け台４を、当該凹部３Ｃ内の右側（図６）に設ければ足り、その結果当該取付台４が、当該当該地下下水溝３の底壁３０より上方へ突出することがなく、当該起伏ゲート６基部の地下下水溝３底壁３０の下流側への設置が、起伏ゲート６の基部を起伏可能に設けけたにもかかわらず、当該地下下水溝３の全高を、当該起伏ゲート６の倒伏状態においても、前記取付台４が当該地下下水溝３の底壁３０より上方へ突出するものがないから、当該地下下水溝３として、一層有効に利用できる。
【００１３】請求項３の発明によれば、起伏ゲート６を道路等の各種施設回りのマンホール２直下の、地下下水溝３底壁３０下流側に設けたことにより、当該マンホール２の大径下部内において、例えば、北海道等の寒冷地における冬季でも、約７〜８℃程度の水温の確保される地下下水から蒸発する水蒸気との接触による予熱、引き続く、当該マンホール２直下の下水溝３底壁３０上を流下する、約７〜８℃程度の地下下水との接触により、まず、当該雪塊Ｓ投雪の一部が融雪され、また、当該起伏ゲート６の倒伏に基く、前記所定水深Ｈ３の地下下水の一気放流により、当該雪塊Ｓの未融雪残部の融雪が促進される。
【００１４】請求項４の発明によれば、前記アーム１２の支軸１１を、前記マンホール２中央部の支持台１０及び上部に手動ウインチ２２を備えるウインチ台２１により支承するとともに、起伏ゲート６の端部上側に当接し、当該起伏ゲート６の最大起立角αｍを規制するストッパ９と、前記アーム１２のバランスウエイト１３付き側の下側に当接して、当該アーム１２の最大降下角βｍを規制するストッパ１８を、前記マンホール２の中央部適所に設けたことにより、当該起伏ゲート６の不用意な過回転発生を招く恐れが無く、また、バランスウエイト１３付きアーム１２の過降下に基く、連結手段８を介する前記起伏ゲート６の過起立による、当該地下下水溝３の起伏ゲート利用融雪装置の故障発生を招く恐れがない。
【００１５】請求項５の発明によれば、一端を起伏ゲート６の端部に取り付けた所定長さのワイヤ８の他端を、前記アーム１２端部の、当該アーム１２の支軸１１中心から異なる距離離間する位置に設けた、複数の連結子１５１〜１５３の何れかに、交互に取付ることにより、所定長さのワイヤ８により、当該起伏ゲート６の最大起立角αｍを調整し、当該起伏ゲート６の起立状態において確保する所定水深Ｈ３の地下下水を、適度に調整し、当該マンホール２を介する雪塊Ｓを、当該地下下水溝の起伏ゲート利用融雪装置の最適量に、容易に調整できる。
【実施態様】
【００１６】以下、この発明に係る地下下水溝の起伏ゲート利用融雪装置の実施態様１及び２を、添付の図１〜６を参照して説明する。なお、前記想定従来例を略示する図７と共通する部部分と共通する部分には、同一名称、同一符号を用いる。
【００１７】（第１実施態様）  図１〜５は、この発明に係る地下下水溝の起伏ゲート利用融雪装置の、第１実施態様Ｘの模式側面説明図、図２はその模式正面説明図、図３はその起伏ゲート６が中開きする状態の模式側面説明図、図４はそのバランスウエイト１３付きアーム１２の、ウインチ２２による操作要領の模式側面説明図、図５はマンホール２直下の地下下水溝３に設けた、この地下下水溝の起伏ゲート利用融雪装置の模式作用説明図である。
【００１８】図１〜５において、１は道路等の各種施設の地（路）面、２はマンホール、２Ａはマンホール２の大径部、３はマンホール２直下の地下下水溝、３０は地下下水溝３の底壁、４は起伏ゲート６の取付台で、起伏ゲート取付台４は、マンホール２直下の、地下下水溝３底壁３０の下流側（図５では左側）に設けられる。５は起伏ゲート５基部の水平取付軸（ヒンジピン）、７は起伏ゲート６端部のワイヤ８端部の取付部、９は起伏ゲート６の過開放を規制するストッパで、ストッパ９は地下下水溝３の側壁部（マンホール２の高さ方向の中央部）に設けられる。１０は支持台、１０Ｂは支持台１０の取付座で、取付座１０Ｂはマンホール２の中央部に設けられ、この取付座１０Ｂは後述のウインチ台２１の取付座を兼ねる。１１はアーム１２のアーム支軸で、アーム支軸１１は支持台１０及びウインチ台２１に支承される。１３はアーム１２の一端部に設けたバランスウエイト、１５はアーム１２の前記バランスウエイト１３の対側に設けた連結子で、この実施態様の連結子１５は、アーム１２の支軸１１の中心からほぼ等間隔で、順次大きく離間する第１〜３連結子１５１〜１５３として構成される。
【００１９】１８はアーム１２のストッパ、２１はウインチ台、２２はウインチ、２３はウインチドラム、２５はウインチドラム２３のハンドル、３０はマンホール２の天井、３１はシーブ枠３２の、マンホール２の天井３０への取付部、３３はシーブ、３５はワイヤ、３６はワイヤ３５端部のシーブ枠３２への取付部、３７はアーム１２のバランスウエイト１３の取付部側（図４では左側）に設けたシーブである。Ｓはマンホール２に、図５の破線矢印のように投雪する適量の雪塊Ｓ（図後では、この雪塊Ｓを球状のものとして、破線で略示した）で、この雪塊Ｓは、例えば、当該道路脇等に寄せ集められた雪、除雪車等により除雪、収集され、トラック等により当該マンホール２回りへ搬送され雪を、スコップとにより掬って、当該マンホール２内に投雪するもので、例えば（３０〜５０）×（３０〜５０）×（３０〜５０）ｃｍ３程度ものとされることが多い。
【００２０】Ｓ１、Ｓ２は当該マンホール２内へ投雪され、起立する起伏ゲート６Ａにより、地下下水溝３の底壁３０上に確保された所定水深Ｈ３の地下下水中に落下し、当該地下下水溝３の底壁３０上に当接する状態を略示した。しかし、この第１、第２の雪塊Ｓ１、Ｓ２の直径又はその他の寸法が、仮に、当該地下下水の所定水深Ｈ３未満であれば、この第１、第２の雪塊Ｓ１、Ｓ２は、当該所定水深Ｈ３水に浮遊する。なお、ここでは、マンホール２内の空気抵抗等により、当該雪塊Ｓ回りが一部融雪されてその外径が僅かながら縮小すること、所定水深Ｈ５水への落下、進入に基づくその一部融雪に基づく縮径が予測されるが、ここではそれらに基づく当該第１、第２の雪塊Ｓ１、Ｓ２の縮径を無視して略示した。
【００２１】また、マンホール２内への雪塊Ｓ投雪は１個ずつするのが通常であるが、図５では第１、第２の２個の雪塊Ｓ１、Ｓ２が、所定水深Ｈ３の地下下水中に投雪された状態を略示し、また、図５では起伏ゲート６Ａが倒伏する前の状態を略示したが、この起伏ゲート６Ａは、１個の雪塊Ｓ１、又は２個の雪塊Ｓ１、Ｓ２の何れの投雪によっても、倒伏した当該地下起伏ゲート６Ａ回りを越えて流下し、当該雪塊１個の雪塊Ｓ１、又は２個の雪塊Ｓ１、Ｓ２の融雪が促進される。起伏ゲート６Ａの倒伏により、所定水深Ｈ５水とともに１個の雪塊Ｓ１、又は２個の雪塊Ｓ１、Ｓ２が、一気に放流される所定水位水とともに急速に流下する事により、当該雪塊Ｓ１、Ｓ２の融雪が促進される。この放流の結果、倒伏した起伏ゲート６Ａと、バランスウエイト１３付アーム１２とのワイヤロープ８を介する連結構造によるバランス機能により、起伏ゲート６Ａが自動的に起立して図５の状態に復帰し（この際、図５における雪塊Ｓ、第１、第２雪塊Ｓ１、Ｓ２は存在しない）、当該マンホール２内への次回の雪塊Ｓの投入に備える。
【００２２】Ｈ０は起伏ゲート６の取付台４の高さ、Ｈ１は僅かに（小角度）起立する起伏ゲート６端部の高さ、Ｈ２は中角度起立する起伏ゲート６端部の高さ、Ｈ３は起立する起伏ゲート６の端部の高さ、Ｈ４は地下下水溝３の高さ、Ｈ５はアーム１２端部のバランスウエイト１３と起立する起伏ゲート６がバランスして、起伏ゲート６が最大角起立する状態における地下下水溝３底壁３０上の下水の水深で、仮に、当該地下下水溝の起伏ゲート利用融雪装置Ｘが何らかの理由により故障して、その起伏ゲート６が倒伏しない状態が発生しても、当該水深Ｈ５領域が、通常の当該地下下水溝３としての機能を確保する。
【００２３】因みに、寒冷地としての北海道札幌市、北広島市等における、本件発明者の実験によれば、地面１からの深さ約４〜５ｍに設置された、直径が１〜２、５ｍ程度の地下下水溝３を流下する地下下水の冬季温度は、約７〜８℃であり、この地下下水溝３のマンホール２内の温度も略同程度の約７〜８℃、起伏ゲート６の高さは約３０〜１００ｃｍ、当該起伏ゲート６の起立により確保される所定水深Ｈ３は約３０〜１００ｃｍで、この起伏ゲート６の起立により、地下下水溝３底壁３０の上流側に約１０〜５０ｍ程度にわたって、地下下水が確保され（ただし、当該底壁３０の勾配θ如何の影響を受けて、変化する）、約１０〜５０ｍ３程度の地下下水の確保が想定される。なお、この地下溝３内の地下下水の温度は約７〜８℃であった。
【００２４】（第１実施態様の作用）  この発明に係る地下下水溝の起伏ゲート利用融雪装置Ｘは、道路等の各種施設まわりの、マンホール２直下の地下下水溝３の底壁３０下流側に、水平軸５で、基部を起伏可能に設けた起伏ゲート６の起立状態を、端部にバランスウエイト１３を備え、支軸１１により中央部を揺動可能に支承したアーム１２の他端部に、連結手段としてのワイヤ８で連結することによリ、前記バランスウエイト１２と、起伏ゲート６の起立状態、即ち、所定水深Ｈ３水圧を受ける起伏ゲート６とのバランスが確保され、かあｋるバランス状態の確保される起伏ゲート６により、当該マンホール２直下の地下下水溝３の底壁３０上に、少なくとも、所定水深Ｈ３（例えば、約１０〜５０ｍ３程度）の地下下水が、常時確保されるのが通常である。
【００２５】係る最小限の所定水深Ｈ３、所定水量の地下下水に、マンホール２を介する適量の雪塊Ｓが投雪されると、当該所定水深Ｈ３、所定水量の地下下水により、当該雪塊Ｓの一部が融雪される一方、当該雪塊Ｓによる所定水深Ｈ３水、所定水量の地下下水が実質的に増量し、この実質的増量に基づいて、前記起立起伏ゲート６と、バランスウエイト１３付きアーム１２とのバランスが崩壊して、起立する起伏ゲート６が倒伏し、所定水深Ｈ３水、所定水量の地下下水が放流され、この放流により当該雪塊Ｓの残る未融雪の融雪が促進されながら、同時に放流される。然る後、倒伏した起伏ゲート６とバランスウエイト１３とのバランス崩壊により、上昇したアーム１２Ａとにより、倒伏した起伏ゲート６が当該バランスウエイト１３の降下、即ち、その通常のバランス機能により自動的に起立して、当該マンホール２直下の下水溝３底壁３０上に、所定水深Ｈ３水、所定水量の地下下水の貯留を再開し、マンホール２を介する次回の雪塊Ｓの投雪、さらにはその融雪に備える。
【００２６】Ｓ２は所定水深Ｈ３の地下下水に投雪された雪塊で、雪塊Ｓ２は少なくともその一部が、当該マンホール２内への投雪により、当該マンホール２内の空気との接触、当該マンホール２内の下水溝３底壁３０上の所定水深Ｈ３水、所定水量の地下下水との接触により、その一部が融雪される。なお、寒冷地（例えば、北海道）の寒冷時における、当該マンホール２内の空気温度は、当該マンホール２直下の地下下水溝３を流れる下水温度に近い温度（約７〜８℃）で、当該マンホール２周り外側の空気温度より充分高温である。
【００２７】なお、図示しないが、一端にバランスウエイト１３を取付けたアーム１２他端部の特定点（例えば、転結子１５１〜１５３の何れか）に連結するワイヤ８を、図示しない連結棒に変えるとともに、その一端に、例えば、図示しないターンバックル等の、長さの調節可能な部材を連結する構造に替えれば、前記アーム１２他端部の連結子１５１〜１５３を１個にしても、当該ターンバックルを適度に回動、調節して連結することにより、他の構造を変えることなく、起伏ゲートの最大起立角度を異なる角度に設定でき、前記３連結子１５１〜１５３の何れかに連結する、前記実施態様１のワイヤ８と略同様な作用を期待できる。
【００２８】因みに、本件発明の目的は、地下下水溝３に起伏可能な起伏ゲート６を設け、起立する起伏ゲート６により確保した所定水深Ｈ３水、所定水量の地下下水に、マンホール２を介して投雪した適量の雪塊Ｓ（例えば、３０〜５０ｃｍ×３０〜５０ｃｍ×３０〜５０ｃｍ程度）を、起立する起伏ゲート６により確保した所定水深Ｈ３水、所定水量の地下下水を、当該起伏ゲート６の倒伏により流下させて、その融雪を促進させようとするもので、当該起伏ゲート６と中央部を支軸１１で支承したバランスウエイト１３付きアーム１２が、連結手段としてのワイヤ８を介して連結される。バランスウエイト１３付きアーム１２と起伏ゲート６を所定長さのワイヤ８により連結し、当該下水溝３底壁３０上の所定水深Ｈ３水、所定水量の地下下水の確保状態でバランスさせることにより、当該地下下水溝３の通常の地下下水流を一時的に停止させることは別として、当該下水溝３の地下下水の通常流下を妨げることなく、起立する起伏ゲート６により所定水深Ｈ３水、所定水量の下水を常時確保する。
【００２９】起伏ゲート６の起立により確保した所定水深Ｈ３水、所定水量の地下下水に、マンホール２を介して適量の雪塊Ｓの投雪があると、起立する起伏ゲート６上流側の所定水深Ｈ３水が相応量（正確には、投雪された雪塊Ｓ相応量）増加してその水位も相応に上昇し、バランスウエイト１３付きアーム１２と起立する起伏ゲート６のバランスが崩壊して、当該バランスウエイト１３付きアーム１２が、支軸１１周りの時計方向（図１）に回動して上昇し、起立する起伏ゲート６が、２点連鎖線位置６Ａ（図１）に倒伏し、所定水深Ｈ３、所定水量の下水が放流され、当該投雪Ｓの残る雪塊の融雪が促進される。その結果、上昇した前記バランスウエイト１３が図１の実線位置に降下する一方、ワイヤ８を介して起伏ゲート６が自動的に引き上げられて、水平軸５周りの時計方向（図１）に回動して、所定水深Ｈ３水、所定水量の地下下水の確保が再開され、マンホール２を介する、次回投雪の雪塊Ｓの融雪に備える。
【００３０】起伏ゲートによって、所定水深Ｈ３水、所定水量の地下下水を確保する目的は、
（１）  地下下水溝３の底壁３０上に、所定水深Ｈ３水、所定水量の地下下水を確保すことにより、起立する起伏ゲート６の上流側に、当該地下下水溝３の形状、取分け、当該地下下水溝３の底壁３０の傾斜に相応する所定水深Ｈ３、所定水量の地下下水を確保し、この所定水深Ｈ３水、所定水量の地下下水の放流に基づく急速流により、、より、仮に、当該雪塊Ｓに未融雪雪塊が残っても、その未融雪の雪塊Ｓの融雪を促進する。
【００３１】（２）  雪塊Ｓの所定水深Ｈ３水、所定水量の地下下水への雪塊Ｓの投雪により、まず、雪塊Ｓの一部が所定水深Ｈ３水、所定水量の地下下水により融雪される一方、当該雪塊Ｓの投雪により、当該所定水深Ｈ３水、所定水量の地下下水が、実質的に当該投雪塊Ｓに相応量増量して、当該所定水深Ｈ３が上昇する結果、起立する起伏ゲート６と、バランスウエイト１３付きアーム１２のバランス状態が崩壊して、起立する起伏ゲート６が倒伏し、当該確保された所定水深Ｈ３水が、一気に、したがって、急速に流下し、未融雪雪塊Ｓの融雪を促進する。
【００３２】（第２実施態様）  次に、この発明に係る地下下水溝の起伏ゲート利用融雪装置の、第２実施態様Ｙを、その模式側面図の図６を参照して説明する。この第２実施態様Ｙは、図６では、マンホール２直下の、地下下水溝３の底壁３０への、起伏ゲート６基部の取付台４を、当該地下下水溝３の底壁３０左側（図５の取付け台４の取付け位置参照）よりさらに下流側（左側）に位置するように、当該マンホール２直下の地下下水溝３の底壁３０の左側、下流側に凹部３Ｃ設け、該凹部３Ｃ内の収まるように、その右側（図６）に当該起伏ブーム６の取付台４を取付けたものである。この取付台４自体の構造は、前記第１実施態様の取付台４の構造と略同様であるが、この第２実施態様の取付台４は、その頂部を含めて当該地下下水溝３の底壁３０面より下位にある。なお、前記第１実施態様の地下下水溝３の起伏ゲート利用融雪装置Ｘと共通する部分には同一名称、同一符号を用いる。
【００３３】第２実施態様の、地下下水溝の起伏ゲート利用融雪装置Ｙは、マンホール２直下の地下下水溝３底壁３０の下流（図６では左）側に、水平状に倒伏する起伏ゲート６を収容する凹部３Ｃを設けたもので、該凹部３Ｃの長さ３Ｃ１は、前記起伏ゲート６の長さよりやや長く、該凹部３Ｃの深さＨ０は、当該起伏ゲート６の厚さ（その倒伏状態における高さ）よりやや深く、幅は当該起伏ゲート６の幅と略同腹ないしややや広幅に構成される。この地下下水溝の起伏ゲート利用融雪装置Ｙの、起伏ゲート６の基部を水平軸５により取付ける起伏ゲートの取付台４は、凹部３Ｃの右側（図６）部に固定され、この凹部３Ｃ内に倒伏する起伏ゲート６及びその取付け台４は、ともに当該凹部３Ｃ内に収容され、倒伏状態における起伏ゲート６部材は、当該地下下水溝３の底壁３０面上を突出するものはない。
【００３４】第２実施態様の地下下水溝の起伏ゲート利用融雪装置にあっては、起立する起伏ゲート６の全高Ｈ３と、当該下水の所定水深Ｈ３とが一致し、前記第１実施態様Ｘと略同様に、起伏ゲート６取付台４による、当該起伏ゲート６の倒伏状態における当該起伏ゲート６の設置により確保した所定水深Ｈ３の内、起伏ゲート６の取付台４の、高さＨ０相応高さ領域の下水が、流下されない地下下水として、当該起伏ゲート６の上流側の地下下水として残留するものはない。そして、前記図５と図６との対比から明らかなように、第２実施態様Ｙにあっては、当該マンホール２直下の下水溝３底壁３０上に、例えば、前記第１実施態様Ｘにおける起伏ゲート６の取付け台４のような突出する部材がないから、当該地下下水溝３の底壁３０面上に投雪された雪塊Ｓ２、Ｓ２の下部が、当該地下下水溝３の底壁３０面上を流下する下水流とともにスムーズに流下され、この場合には、当該雪塊Ｓ２、Ｓ２が、前記第１実施態様Ｘの取付け台４のように、下水溝３底壁３０面上に突出する取付け台４により当該下水流及び雪塊Ｓの流下を妨げられる（図５参照）恐れがない。
【００３５】ただ、この第２実施態様Ｙにあっては、凹部３Ｃ内に当該地下下水溝３を流下する地下下水中に混在する砂、小石等が流下、沈積して、当該起伏ゲート６の当該凹部３Ｃ内への倒伏阻止を招く恐れがあるので、適時その清掃等をして、当該凹部３Ｃ内への起伏ゲート６の倒伏を妨げないように、随時管理するのがよい。なお、この地下下水溝３の、当該凹部３Ｃ設置領域の低壁３０の勾配θ（低壁３０の勾配θについては、図７の低壁３０の勾配θ参照）をやや大きく（急に）降下するように構成されば、当該凹部３Ｃの下流側を相応量浅く構成することができ、この場合には当該凹部３Ｃ内に沈積する砂、小石等が相応に減少する。何れにしても、当該凹部３Ｃに流入、沈積しようとする砂、小石等の流入を、可能な限り減少させるようにするのがよい。
【００３６】（変形例１）  なお、一端部にバランスウエイト１３を備えるアーム１２の他端部の特定点、又はその揺動中心からの距離の異なる何れかの点を、長さ調節可能又は定長のワイヤ８、連結棒等の適宜連結手段により連結して、当該起伏ゲート６の最大起立角度を調整可能に連結すれば、異なる開度、したがって、同一装置により、異なる所定水深の地下下水の確保可能な起伏ゲート利用融雪装置を提供できる。
【００３７】（変形例２）  この発明に係る地下下水溝の起伏ゲート利用融雪装置は、前記ウインチ２２のウインチドラム２３から伸びるワイヤ３５の端部を、前記マンホール２の天井３０に設けたシーブ枠３２上のシーブ３３、前記アーム１２のバランスウエイト１３取付け側に設けたシーブ３７を介して、前記シーブ枠３２の端部３６、又は当該シーブ枠３２周りの、前記マンホール２の天井３０下部の何れかに取付けことができ、この場合には、前記ウインチ２２によるワイヤ３５の巻取りにより、降下したアーム１２（この状態において、起伏ゲート６は起立する）を、そのバランスウエイト１３付き側を、当該バランスウエイト１３に抗して吊り上げ、その結果、起立する起伏ゲート６を倒伏させて、当該起立した起伏ゲートにより確保した所定水深Ｈ３の地下下水を、必要に応じて放流することにより、当該地下下水溝３の点検、清掃等を適時、適切に行える。
【００３８】（応用例）  また、この発明に係る地下下水溝の起伏ゲート利用融雪装置は、道路等の各種施設周りの、マンホール２直下の地下下水溝３底壁３０下流側に、水平軸５で回動可能に設けた起伏ゲート６の起立により地下下水を堰き止めて、当該地下下水溝３に所定水深Ｈ３の地下下水を確保し、係る起立する起伏ゲート６により確保した前記所定水深Ｈ３の地下下水への、前記マンホール２を介する適量の雪塊Ｓ投雪により、当該雪塊Ｓ投雪の一部を前記所定水深Ｈ３の地下下水により融雪する一方、当該雪塊Ｓ投雪の未融雪残部を、当該雪塊Ｓ投雪に基く前記バランスウエイト１３付きアーム１２と、起立する起伏ゲート６のバランス状態崩壊による、当該起伏ゲート６の倒伏により、当該所定水深Ｈ３の地下下水を放流して、残る未融雪の雪塊Ｓの融雪を促進しながら流下させた後、前記バランスウエイト１３付きアーム１２と倒伏した起伏ゲート６との連結手段８による連結に基づくバランス回復により、倒伏した起伏ゲート６を自動的に起立させて、当該地下下水溝３への所定水深Ｈ３、低壁３０上流側上への所定水深Ｈ３の地下下水の確保を再開し、前記マンホール２を介して投雪される次回の雪塊Ｓの融雪に備える融雪方法を提供する。
【効果】
【００３９】この発明に係る地下下水溝の起伏ゲート利用融雪装置は、前記のような構成を有し、作用をするから、以下に述べるような特有の効果を奏する。
【００４０】（１）  請求項１の発明によれば、道路等の各種施設周りの、マンホール直下の地下下水溝底壁の下流側に、基部を水平軸で起伏可能に設けた起伏ゲートの端部と、一端にバランスウエイトを備え、中央部を当該起伏ゲートより上位の前記マンホールの中央部に揺動自在に軸架したアームの他端部を、適宜連結手段により連結したことにより、当該起伏ゲートの起立により当該地下下水溝の、当該マンホール直下に、所定水深下水を常時確保する一方、当該所定水深の下水への適度な雪塊投雪が、当該マンホール内において、冬季でも水温が約７〜８℃程度に確保される所定水深の地下下水により相応に融雪される外、当該マンホールの大径下部内において、冬季でも約７〜８℃の下水から蒸発する水蒸気との接触、当該地下下水との接触により、少なくとも、その一部が相応に融雪され、前記雪塊投雪による前記所定水深、所定流水量の実質的増量により、前記バランス崩れにより起立する起伏ゲートを倒伏させて一気に急速に放流し、この所定水深、所定流水量の地下下水の一気、急速な放流により、前記投雪の残る雪塊の融雪を、効果的に促進する。
【００４１】（２）  また、当該マンホールを介する前記値立する起伏ゲートにより確保された所定水深の地下下水への投雪に基く、当該起伏ゲート上流側の、所定水深下水の、実質的増量に基く起立する当該起伏ゲートへの負荷増加により、当該起伏ゲートと前記バランスウエイト付きアームのバランス状態の崩壊により、当該起伏扉が水平軸周りに倒伏して、当該投雪を含む所定水深の地下下水が一気に、急速に放流され、即ち、大量の地下下水が一気、急速に放流され、当該投雪の未融雪雪塊の融雪が効果的に促進されながら流下する。この所定水深の地下下水の一気放流により、到伏した起伏ゲートとバランスウエイト付きアームを介する連結によリ、起伏した起伏ゲートが自動的に起立し、次回の雪塊の投雪とその融雪に備える。
【００４２】（３）  請求項２の発明によれば、起伏ゲートの基部を、道路等の各種施設回りの、マンホール直下の地下下水溝の下流側底壁に設けた、当該起伏ゲートの長さよりやや長い凹部に倒伏可能に設けたことにより、前記起伏ゲートの当該凹部内への倒伏状態において、前記起立する起伏ゲートにより確保した所定水深の地下下水の前記のような一気放流時における、当該放流された所定水深の地下下水と、当該所定水深の地下下水に混在する、前記マンホールを介して投雪された雪塊の、何れの流下をも、阻害するもの（例えば、前記第１実施態様における、地下下水溝の底壁上に突設された、起伏ゲート基部の取付け台）がないことにより、当該地下下水及び当該地下下水に混在する、当該所定水深の地下下水に投雪された雪塊の流下を妨げられる恐れがなく、したがって、前記起伏ゲートの倒伏状態における、当起立する起伏ゲートにより確保された前記所定水深の地下下水の一気放流状態における、当該所定水深の地下下水及び混在する前記雪塊がスムーズに、しかも急速に流下し、ひいては、当該雪塊の融雪が効果的に促進される。
【００４３】（４）  請求項３の発明によれば、アーム支軸をマンホール中央部の支持台及び上部に手動ウインチを備えるウインチ台により支承するとともに、起伏ゲートの端部上側に当接し、当該起伏ゲートの最大起立角を規制するストッパと、前記アームのバランスウエイト付き側下側に当接して、当該アームの最大降下角を規制するストッパを、前記マンホール中央部の適所に設けたことにより、当該起伏ゲートを不用意に過回転させる恐れがなく、また、バランスウエイト付きアームの過低下に基く連結手段を介する起伏ゲートの過起立を招く恐れがなく、その動作の確実性を期待できる。
【００４４】（５）  請求項４の発明によれば、アームの支軸が、マンホール中央部の支持台及び上部に手動ウインチを備えるウインチ台で支承されることにより安定する外、前記起伏ゲートの端部周り上側に当接し、当該起伏ゲートの最大起立角を規制するストッパと、前記アームのバランスウエイト側の下側に当接して、当該アームの最大降下角を規制するストッパを、前記マンホール中央部の適所に設けたことにより、一端を起伏ゲートの端部に取付けた所定長さのワイヤの他端を、前記アーム端部の、当該アームの支軸中心から異なる距離に設けた、複数の連結子の何れかに交互に取付けることにより、１本の定長ワイヤにより、当該起伏ゲートの最大起立角を複数段階に調整し、当該起伏ゲートの起立状態における下水の所定水深、所定水量を適度に設定、調整できる。
【００４５】（６）  請求項５の発明によれば、一端を前記起伏ゲート端部に取り付けた所定長さの連結ワイヤの他端を、前記アーム端部の、当該アームの支軸中心から異なる距離に設けた、複数連結子の何れかに、取付可能にしたことにより、所定長さの同一連結ワイヤの一端を、前記アーム端部の複数連結子の何れかに取付けることにより、起伏ゲートの最大起立角、即ち、異なる高さの所定水深、所定水量の地下下水を確保できる。
【００４６】（７）  この発明に係る地下下水溝の自動起伏ゲート利用融雪装置を、例えば、北海道札幌市等を始め、地下下水溝整備が進んでいる地域の下水溝へ実施することにより、地域住民の協力により、例えば、公園、自宅回りの道路等の積雪を、当該地下下水溝の自動起伏ゲート利用融雪装置に、そのマンホールを介して随時投入するこにより、直ちに融雪できるので、従来例のように、大量の積雪を、除雪車により除雪した後、搬出トラックにより、所定の堆積場、例えば、公園に堆積させる場合のように、当該堆積場の雪の、初夏まで融雪を待つ必要性なくなり、引いては、当該公園等の堆積場への堆積量制限などを考慮することなく投雪できる。その結果、この発明の実施により、一般住民等の協力により、随時積雪を当該地下下水溝の自動起伏ゲート利用融雪装置のマンホールへ投雪するこにより、かなりの量のの積雪を、その都度、簡易に処理でき、引いては、冬季における積雪処理ひ様の大幅軽減を期待できる。
【００４７】（８）  この発明に係る地下下水溝の自動起伏ゲート利用融雪装置は、道路回り等のマンホール直下の、地下下水溝低壁の下流側に、常時バランス装置により自動的に起立する起伏ゲートを設けることにより、即ち、必要な地下下水溝の自動起伏ゲート利用融雪装置の初期投資をするだけで、長期間にわたって、殆ど、維持管理費を要することなく、融雪効果を期待できるものであって、しかも、当該装置がマンホール直下の地下下水溝に設けられルものであるから、その設置場所の選択が容易であり、引いては、当該地下下水溝の自動起伏ゲート利用融雪装置への、積雪の搬送経費を低く抑える効果も期待できる。
【図面の簡単な説明】
【００４８】
【図１】  この発明に係る地下下水溝の、起伏ゲート利用融雪装置の第１実施態様の模式側面説明図である。
【図２】  その起伏ゲートの起立状態における、模式正面説明図である。
【図３】  その起伏ゲート中開き状態における模式側面説明図である。
【図４】  そのアーム操作用ウインチ部の模式側面説明図である。
【図５】  地下下水溝の起伏ゲート利用融雪装置の、模式作用説明図である。
【図６】  この発明に係る地下下水溝の、起伏ゲート利用融雪装置の第２実施態様の、模式側面説明図である。
【図７】  従来のマンホール直下の、地下下水溝への雪塊の投雪状態における、当該マンホールの模式縦断説明図である。
【符号の説明】
【００４９】    １……地面
２……マンホール
２Ａ……マンホール２の大径部
３……下水溝
３０……下水溝３の低壁
３１……下水溝３の低壁
３３……停止状態の地下下水の頂面（水平状）
３１１……地下下水流
３１３……停止状態の地下下水
３Ｈ……水平線
３Ｃ……地下下水溝３の凹部
４……起伏ゲート６の取付台
５……水平軸（ヒンジピン）
６……起伏ゲート
７……起伏ゲート６の端部（ワイヤ取付部）
８……ワイヤ
９……ワイヤ取付部（起伏ゲート６の端部側）
９……起伏ゲート６のストッパ（過開き止め）
１０……支持台
１０Ｂ……取付座（支持台、ウインチ台）
１１……アーム支軸
１２……アーム
１３……バランスウエイト
１４……軸受（アーム支軸）
１５……連結子
１５１〜１５３……第１〜３連結子
１８……アームストッパ
２１……ウインチ台
２２……ウインチ
２３……ウインチドラム
２５……ハンドル
３０……マンホール２の天井
３１……取付部（シーブ枠３２）
３２……シーブ枠
３３……シーブ
３５……ワイヤ（アーム起伏操作用）
３６……ワイヤ３５の取付部
３７……シーブ（アーム１２上）
Ｗ……地下下水溝３の幅
Ｓ……雪塊（投雪）
Ｓ１、Ｓ２……雪塊（地下下水溝３底壁３０上にあり、地下下水に浸漬）
Ｓ１１……雪塊Ｓの高さ
Ｈ０……起伏ゲート取付台４の高さ
Ｈ１……地下下水の所定水深（起伏ゲート低起立）
Ｈ２……地下下水の所定水深（起伏ゲート中起立）
Ｈ３……地下下水の所定水深（起伏ゲート高起立）
Ｈ４……地下下水溝３の有効高さ（起伏ゲート起立状態）
Ｈ５……空間高さ（所定水深Ｈ３確保状態における下水溝空き高さ）
ｈ１１……地下下水流３１１の高さ（厚さ）
Ｘ……起伏ゲート利用融雪装置（第１実施態様）
Ｙ……起伏ゲート利用融雪装置（第２実施態様）
αｍ……起伏ゲート６の最大起立角
βｍ……アーム１２の最大起立角
θ……地下水溝３底壁３０の勾配
【図１】
2007040070.tif 000003
【図２】
2007040070.tif 000004
【図３】
2007040070.tif 000005
【図４】
2007040070.tif 000006
【図５】
2007040070.tif 000007
【図６】
2007040070.tif 000008
【図７】
2007040070.tif 000009